(57)【特許請求の範囲】
【請求項１】
底部と側壁部とから上方に開口する内部空間が形成されたシンク本体と、
前記側壁部を水平方向の外側に凹ませて形成された収納空間と、
前記収納空間に着脱自在に収納可能なダストボックスと、を備え、
前記ダストボックスは、
前記収納空間に収納可能なかご部材と、
前記かご部材の内部に収納可能なボックス本体と、を有し、
前記かご部材は、前記収納空間に収納された当該かご部材に対して、前記ボックス本体を前記内部空間から水平方向に出し入れできる形状に形成されているキッチンシンク。
【請求項２】
底部と側壁部とから上方に開口する内部空間が形成されたシンク本体と、
前記側壁部を水平方向の外側に凹ませて形成された収納空間と、
前記収納空間に着脱自在に収納可能なダストボックスと、を備え、
前記ダストボックスは、
前記収納空間に収納可能なかご部材と、
前記かご部材の内部に収納可能なボックス本体と、を有し、
前記内部空間の開口部及び内部の複数の高さに架設させた状態で用いる、仮置き部材を更に備え、
前記側壁部は、前記仮置き部材の縁部を支持する複数の高さの支持面を有し、
前記ダストボックスは、前記仮置き部材の縁部を支持する、前記支持面と同じ高さの複数の高さの支持部を有し、
前記収納空間の左右両側面に前記かご部材の底部を支持する載置面が形成されているキッチンシンク。
【請求項３】
複数の前記支持部のうちの少なくとも１つが、前記かご部材に形成されている請求項２に記載のキッチンシンク。
【請求項４】
前記側壁部は、前記仮置き部材の一種であるまな板を前記内部空間の開口部の高さに支持する支持面を有し、
前記ダストボックスは、前記支持面と同じ高さの支持部であって、前記まな板の上面が当該ダストボックスの上端よりも上方又は同じ高さとなるように、前記まな板の縁部を支持する支持部を有する請求項２に記載のキッチンシンク。
【請求項５】
前記収納空間の壁面に、前記ダストボックスを吊り下げるための支持部が形成され、
前記内部空間を排水する排水口が、前記ダストボックスの直下に配置されている請求項１〜４のいずれか１項に記載のキッチンシンク。
【請求項６】
キャビネット部と、
前記キャビネット部の上端部を閉塞する天板と、
前記天板に設けられた請求項１〜５のいずれか１項に記載のキッチンシンクと、を備えるシステムキッチン。
【発明の詳細な説明】
【技術分野】
【０００１】
本発明は、キッチンシンク及びこれを備えたシステムキッチンに関する。より具体的には、キッチンシンクに対するダストボックスの収納形態の改良に関する。
【背景技術】
【０００２】
特許文献１には、手間をかけずに野菜、魚などの調理屑を収納できるとともに、収納後に水切りを行って生ゴミとして廃棄できる、シンク本体に後付け可能なダストボックスが記載されている。
このダストボックスは、長手方向の寸法がシンク本体の内部空間の前後方向の寸法とほぼ同じである。従って、このダストボックスは、長手方向をシンク本体の前後方向に向けて、内部空間の開口縁に架設して装着するようになっている（特許文献１の図１参照）。
【先行技術文献】
【特許文献】
【０００３】
【特許文献１】特開２００４−２１６０２４号公報
【発明の概要】
【発明が解決しようとする課題】
【０００４】
上記従来の技術では、シンク本体の内部空間の開口縁間にダストボックスを架設するので、ダストボックスの装着状態においてシンク本体の内部空間の面積が侵される。このため、シンク本体を用いた食器洗いなどの各種作業が行い難くなるという欠点がある。
本発明は、上記の問題点に鑑み、ダストボックスの装着状態においても、シンク本体における各種作業が行い易いキッチンシンクを提供することを目的とする。
【課題を解決するための手段】
【０００５】
（１）  本発明のキッチンシンクは、底部と側壁部とから上方に開口する内部空間が形成されたシンク本体と、前記側壁部を水平方向の外側に凹ませて形成された収納空間と、前記収納空間に着脱自在に収納可能なダストボックスと、を備えることを特徴とする。
【０００６】
本発明のキッチンシンクによれば、シンク本体の側壁部を水平方向の外側に凹ませて収納空間が形成され、この収納空間にダストボックスを着脱自在に収納することにしたので、ダストボックスを装着した状態でシンク本体の内部空間の面積が侵されることがない。
このため、ダストボックスの装着状態においても、シンク本体における各種作業が行い易いキッチンシンクを提供することができる。
【０００７】
（２）  本発明のキッチンシンクにおいて、前記ダストボックスは、前記収納空間に収納可能なかご部材と、前記かご部材の内部に収納可能なボックス本体と、を有することが好ましい。
この場合、ダストボックスが、収納空間に収納可能なかご部材と、かご部材の内部に収納可能なボックス本体とに分離されるので、ボックス本体をかご部材から取り外すと、洗剤容器などを収容する小物棚としてかご部材を兼用できる。
【０００８】
（３）  本発明のキッチンシンクにおいて、前記かご部材は、前記収納空間に収納された当該かご部材に対して、前記ボックス本体を前記内部空間から水平方向に出し入れできる形状に形成されていることが好ましい。
この場合、収納空間に収納されたかご部材に対して、ボックス本体をシンク本体の内部空間から水平方向に出し入れできるので、ボックス本体を上下方向から出し入れする場合に比べて、ボックス本体の脱着が容易である。従って、ゴミ出し作業がより簡便になる。また、ボックス本体を上下方向から出し入れする場合に比べて、ボックス本体の開口面積を大きくでき、ボックス本体の容量を増やせるという利点もある。
【０００９】
（４）  本発明のキッチンシンクにおいて、前記内部空間の開口部及び内部の少なくとも１つの高さに架設させた状態で用いる、仮置き部材を更に備えることが好ましい。
この場合、仮置き部材をシンク本体の内部空間の開口部及び内部の少なくとも１つの高さに架設することにより、シンク本体の内部空間のエリアを炊事作業などの作業空間として利用できる。
【００１０】
（５）  本発明のキッチンシンクにおいて、前記側壁部は、前記仮置き部材の縁部を支持する１又は複数の支持面を有し、前記ダストボックスは、前記仮置き部材の縁部を支持する、前記支持面と同じ高さの１又は複数の支持部を有していてもよい。
この場合、シンク本体の側壁部の支持面とダストボックスの支持部とが同じ高さであるから、ダストボックスを装着した状態であっても、シンク本体の内部空間のすべての平面領域において仮置き部材を使用できるようになる。
【００１１】
（６）  本発明のキッチンシンクにおいて、１又は複数の前記支持部のうちの少なくとも１つが、前記かご部材に形成されていることが好ましい。
この場合、１又は複数の支持部のうちの少なくとも１つが、ボックス本体ではなく、かご部材に形成されているので、ボックス本体を取り外してかご部材のみを装着した場合でも、仮置き部材をかご部材の支持部に架設させて使用することができる。
【００１２】
（７）  本発明のキッチンシンクにおいて、前記側壁部は、前記仮置き部材の一種であるまな板を前記内部空間の開口部の高さに支持する支持面を有し、前記ダストボックスは、前記支持面と同じ高さの支持部であって、前記まな板の上面が当該ダストボックスの上端よりも上方又は同じ高さとなるように、前記まな板の縁部を支持する支持部を有することが好ましい。
【００１３】
この場合、まな板の縁部をダストボックスの支持部に支持させると、まな板の上面が当該ダストボックスの上端よりも上方又は同じ高さとなる。
このため、食材の切り屑などの生ゴミを、まな板の上面でスライドさせながらダストボックス側にそのまま押し出すだけでダストボックスの内部に投入できる。従って、まな板からダストボックスへのゴミ廃棄が簡便になり、まな板上での作業を迅速かつ容易に行えるようになる。
【００１４】
（８）  本発明のキッチンシンクにおいて、前記収納空間の壁面に、前記ダストボックスを吊り下げるための支持部が形成され、前記内部空間を排水する排水口が、前記ダストボックスの直下に配置されていることが好ましい。
この場合、シンク本体の内部空間を排水する排水口が吊り下げ状態に支持されるダストボックスの直下に位置するので、ダストボックスから排出される廃液を排水し易くなるという利点がある。
【００１５】
（９）  本発明のシステムキッチンは、キャビネット部と、前記キャビネット部の上端部を閉塞する天板と、前記天板に設けられた上述の（１）〜（８）のいずれかに記載のキッチンシンクと、を備える。
従って、本発明のシステムキッチンは、上述の（１）〜（８）のいずれかに記載のキッチンシンクと同様の作用効果を奏する。
【発明の効果】
【００１６】
以上の通り、本発明によれば、ダストボックスを装着した状態でシンク本体の内部空間の面積が侵されないので、ダストボックスの装着状態においても、シンク本体における各種作業が行い易いキッチンシンクが得られる。
【図面の簡単な説明】
【００１７】
【図１】本発明の実施形態に係るキッチンシンクを有するシステムキッチンの一例を示す斜視図である。
【図２】同キッチンシンクを右斜め方向から見た斜視図である。
【図３】同キッチンシンクを左斜め方向から見た斜視図である。
【図４】シンク本体（単体）を前方から見た斜視図である。
【図５】同キッチンシンクのＡ−Ａ線断面図である。
【図６】ダストボックスの装着状態を示す斜視図である。
【図７】ダストボックスの単体状態を示す斜視図である。
【図８】かご部材とボックス本体を分離した状態を示す斜視図である。
【図９】まな板の好ましい仮置き位置を示すキッチンシンクの斜視図である。
【発明を実施するための形態】
【００１８】
以下、図面を参照しつつ、本発明の実施形態を説明する。
〔システムキッチンの全体構成〕
図１は、本発明の実施形態に係るキッチンシンク４を備えたシステムキッチン１の斜視図である。
【００１９】
図１に示すように、本実施形態のシステムキッチン１は、台所などに設置される左右方向に長いキャビネット部２と、キャビネット部２の上端部を閉塞する天板３と、天板３に設けられたキッチンシンク４及びＩＨヒーターやガスコンロなどよりなる加熱調理器５と、を備えている。
キャビネット部２の前面開口部には、複数の抽斗６が前後方向に出し入れ自在に収納されているとともに、開き戸７が開閉自在に設けられている。
【００２０】
天板３の左右方向両側には、長方形状の開口８，９が形成されている。左側の開口８の下面側には、シンク本体１１（図４参照）が取り付けられ、右側の開口９の内部には、加熱調理器５が収納されている。
なお、キッチンシンク４及び加熱調理器５の設置位置は、また、抽斗６及び開き戸７の設置位置も、室内におけるシステムキッチン１の配置などに応じて適宜変更することができる。
【００２１】
〔キッチンシンクの構成〕
図２は、本実施形態のキッチンシンク４を右斜め方向から見た斜視図であり、図３は、本実施形態のキッチンシンク４を左斜め方向から見た斜視図である。図２は、仮置き部材１３などの構成部材をすべて装着した場合のキッチンシンク４を示し、図３は、仮置き部材１３と水栓１２を取り除いた場合のキッチンシンク４を示す。
図４は、シンク本体１１（単体）を前方から見た斜視図であり、図５は、キッチンシンク４のＡ−Ａ線断面図である。
【００２２】
図２〜図５に示すように、キッチンシンク４は、天板３の下面に固定されたシンク本体１１と、シンク本体１１の後部側に立設された水栓１２と、シンク本体１１の内部空間２６に架設して使用する仮置き部材１３と、を備えている。
また、本実施形態のキッチンシンク４は、シンク本体１１の後部左側に設けられた小物ガード１４と、シンク本体１１の後部右側に設けられたダストボックス１５と、シンク本体１１の後部左側に設けられたまな板立て１６と、を備えている。
【００２３】
本実施形態のシンク本体１１は、アクリル樹脂などを主成分とした合成樹脂を型枠に流し込んで成型された人工大理石よりなり、図４に示す形状に形成されている。
具体的には、シンク本体１１は、横長のほぼ長方形状の底部２１と、底部２１の各辺から一体に立ち上がる前側壁部２２、後側壁部２３、左側壁部２４及び右側壁部２５とを備えている。シンク本体１１は、それらの各部２１〜２５の内面で囲まれた空間である、上方に開口する内部空間２６を備えている。
【００２４】
各側壁部２２〜２５の上縁には、シンク本体１１の天板３に対する取付部として機能する取付フランジ２７が一体に形成されている。
シンク本体１１は、内部空間２６の開口と天板３の開口８とを一致させた状態で、天板３の下面に配置されており、取付フランジ２７を接着剤などで天板３の下面に固定することにより、天板３に一体化されている。
【００２５】
後側壁部２３の左側部分には、当該後側壁部２３を水平方向の後側に凹ませて形成された左収納空間２８が設けられている。左収納空間２８は、洗剤容器などの小物を収納するための空間である。
後側壁部２３の右側部分には、当該後側壁部２３を水平方向の後側に凹ませて形成された右収納空間２９が設けられている。右収納空間２９は、ダストボックス１５を収納するための空間である。
【００２６】
内部空間２６と上記の左右の収納空間２８，２９とにより、シンク本体１１の開口部の平面形状は、ほぼ「凹の字状」に形成されている。
左収納空間２８は、内部空間２６のほぼ半分程度の深さを有する底上げ状の収納空間となっている。右収納空間２９の下方には、排水口３０が形成されている。この排水口３０には、排水口蓋３１（図３参照）を着脱自在に設置できる。また、右収納空間２９の左右両側面には、ダストボックス１５の底部を支持する載置面３２が形成されている。
【００２７】
なお、シンク本体１１を単体で示す図４において、符号３３は、水栓１２を取り付けるための貫通孔であり、符号３４は、吊り下げピン４０，４１（図２参照）を取り付けるための貫通孔である。
【００２８】
図２に示すように、キッチンシンク４の仮置き部材１３には、まな板１３Ａ、水切りグレーチング１３Ｂ及び水切りプレート１３Ｃなどの複数種類の部材が含まれる。
まな板１３Ａは、合成樹脂製の板材よりなり、水切りグレーチング１３Ｂは、多数のパイプ材が所定間隔おきに並ぶように形成されたグレーチング材よりなり、水切りプレート１３Ｃは、多数の水切り孔を有する金属製のパンチングプレートよりなる。
【００２９】
仮置き部材１３は、シンク本体１１の内部空間２６の開口部及び内部に形成された、高さの異なる支持面３７〜３９のいずれかに架設することにより、３段階で異なる高さのうちのいずれかの高さで使用することができる。
すなわち、図５に示すように、シンク本体１１の前側壁部２２及び後側壁部２３の対向位置に、上から順に第１〜第３支持面３７〜３９が形成されており、仮置き部材１３は、第１〜第３支持面３７〜３９のいずれかに架設することができる。
【００３０】
例えば、図２に示すように、本実施形態のキッチンシンク４では、まな板１３Ａは、最も上の第１支持面３７に架設することができ、水切りグレーチング１３Ｂは、上から２番目の第２支持面３８に架設することができ、水切りプレート１３Ｃは、上から３番目の最も下の第３支持面３９に架設することができる。
なお、どの種類の仮置き部材１３をどの高さの支持面３７〜３９に架設するかは、図２の場合に限定されない。また、各支持面３７〜３９は、左右方向に延設されており、その延設範囲において仮置き部材１３の位置を変更自在である。
【００３１】
図３に示すように、小物ガード１４は、左収納空間２８に収納された洗剤容器などの小物をガードするための部材である。小物ガード１４は、例えば、所定形状に屈曲された複数本の金属製の棒状材の交差部を固着することにより製作されている。
小物ガード１４は、左収納空間２８の後側面に固定された左右一対の吊り下げピン４０に掛止可能な掛止部を有する。この掛止部を吊り下げピン４０に引っ掛けることにより、小物ガード１４を左収納空間２８に装着することができる。
【００３２】
〔ダストボックスの構成〕
図６は、ダストボックス１５の装着状態を示す斜視図であり、図７は、ダストボックス１５の単体状態を示す斜視図である。
また、図８は、ダストボックス１５を構成するかご部材４３とボックス本体４４を分離した状態を示す斜視図である。
【００３３】
図６〜図８に示すように、ダストボックス１５は、シンク本体１１の右収納空間２９に収納可能なかご部材４３と、かご部材４３の内部に収納可能なボックス本体４４とを備えている。
かご部材４３は、右収納空間２９にボックス本体４４を吊り下げ状態で保持するための部材である。かご部材４３は、例えば、所定形状に屈曲された複数本の金属製の棒状材の交差部を固着することにより製作されている。
【００３４】
かご部材４３は、右収納空間２９の後側面に固定された左右一対の吊り下げピン４１に掛止可能な掛止部を有する。この掛止部を吊り下げピン４１に引っ掛けることにより、かご部材４３を右収納空間２９の内部に浮上した状態で装着することができる。
かご部材４３は、右収納空間２９の平面形状とほぼ同じ大きさの長方形枠状に形成されており、吊り下げピン４１に引っ掛けて装着した状態において、右収納空間２９に概ねピッタリと収まるようになっている。
【００３５】
図６及び図７に示すように、ダストボックス１５には、上から順に第１〜第３支持部４５〜４７が形成されている。
ダストボックス１５を右収納空間２９に吊り下げると、第１支持部４５は第１支持面３７と同じ高さでかつ同じ左右方向に延びた状態となり、第２支持部４６は第２支持面３８と同じ高さでかつ同じ左右方向に延びた状態となり、第３支持部４７は第３支持面３９と同じ高さでかつ同じ左右方向に延びた状態となる。
【００３６】
このため、本実施形態のキッチンシンク４では、第１支持面３７に架設する仮置き部材１３（本実施形態では、まな板１３Ａ）の後端縁部を、かご部材４３の第１支持部４５にもそのまま架設することができる。
また、第２支持面３８に架設する仮置き部材１３（本実施形態では、水切りプレート１３Ｂ及び水切りグレーチング１３Ｃ）の後端縁部を、かご部材４３の第２支持部４６にもそのまま架設でき、第３支持面３９に架設する仮置き部材１３の後端縁部を、ボックス本体４４の第３支持部４７にもそのまま架設することができる。
【００３７】
なお、本実施形態のダストボックス１５では、第１支持部４５と第２支持部４６は、かご部材４３を構成する枠材よりなり、第３支持部４７は、ボックス本体４４の前面から突出するように固定された枠材よりなる。
ボックス本体４４は、上方が開口するほぼ直方体の箱体よりなり、底部に多数の水抜き孔を有する。
【００３８】
図７及び図８に示すように、かご部材４３の前面部分は大きく開口しており、この開口部は、ボックス本体４４の高さよりも若干大きい寸法となっている。
このため、図８に白抜き矢印で示すように、ボックス本体４４をかご部材４３の前方から出し入れすることができる。従って、キッチンシンク４のユーザーは、右収納空間２９に収納されたかご部材４３に対して、ボックス本体４４を内部空間２６側から水平方向に出し入れすることができる。
【００３９】
図３に示すように、小物ガード１４にも、上から順に第１及び第２支持部４９，５０が形成されている。
小物ガード１４を左収納空間２８に吊り下げると、第１支持部４９は第１支持面３７と同じ高さでかつ同じ左右方向に延びた状態となり、第２支持部５０は第２支持面３８と同じ高さでかつ同じ左右方向に延びた状態となる。
【００４０】
このため、本実施形態のキッチンシンク４では、第１支持面３７に架設する仮置き部材１３（本実施形態では、まな板１３Ａ）の後端縁部を、小物ガード１４の第１支持部４９にもそのまま架設することができる。
また、第２支持面３８に架設する仮置き部材１３（本実施形態では、水切りプレート１３Ｂ及び水切りグレーチング１３Ｃ）の後端縁部を、小物ガード１４の第２支持部５０にもそのまま架設することができる。
【００４１】
まな板立て１６は、小物ガード１４とは別体に構成された枠材よりなり、小物ガード１４に対して着脱自在となっている。なお、本実施形態のキッチンシンク４において、まな板立て１６を省略することもできる。
【００４２】
〔キッチンシンクの効果〕
以上の通り、本実施形態のキッチンシンク４によれば、シンク本体１１の後側壁部２３を水平方向の後側に凹ませて右収納空間２９が形成され、この右収納空間２９にダストボックス１５を着脱自在に収納することにしたので、ダストボックス１５を装着した状態でシンク本体１１の内部空間２６の面積が侵されることがない（図２及び図３参照）。
このため、ダストボックス１５の装着状態においても、シンク本体１１における各種作業が行い易いキッチンシンク４を提供することができる。
【００４３】
本実施形態のキッチンシンク４によれば、ダストボックス１５が、右収納空間２９に収納可能なかご部材４３と、かご部材４３の内部に収納可能なボックス本体４４とに分離した構造となっている（図７及び図８参照）。
このため、ボックス本体４４をかご部材４３から取り外すと、洗剤容器などを収容する小物棚としてかご部材４３を兼用することができる。
【００４４】
本実施形態のキッチンシンク４によれば、右収納空間２９に収納されたかご部材４３に対して、ボックス本体４４をシンク本体１１の内部空間２６から水平方向に出し入れすることができる（図８参照）。
このため、ボックス本体４４を上下方向から出し入れする場合に比べて、ボックス本体４４の脱着が容易となり、ゴミ出し作業がより簡便になる。また、ボックス本体４４を上下方向から出し入れする場合に比べて、ボックス本体４４の開口面積を大きくでき、ボックス本体４４の容量を増やすことができる。
【００４５】
本実施形態のキッチンシンク４では、シンク本体１１の内部空間２６の開口部及び内部の少なくとも１つの高さに架設させた状態で用いる、仮置き部材１３を備えている（図２参照）。
このため、仮置き部材１３をシンク本体１１の内部空間２６の開口部及び内部の少なくとも１つの高さに架設することにより、シンク本体１１の内部空間２６のエリアを炊事作業などの作業空間として利用できる。
【００４６】
本実施形態のキッチンシンク４によれば、シンク本体１１の後側壁部２３の支持面３７〜３９と、ダストボックス１５の支持部４５〜４６とが同じ高さになっている（図３及び図６参照）。
このため、ダストボックス１５を装着した状態であっても、シンク本体１１の内部空間２６のすべての平面領域において仮置き部材１３を使用することができる。
【００４７】
本実施形態のキッチンシンク４によれば、第１及び第２支持部４５，４６がかご部材４３に形成されているので、ボックス本体４４を取り外してかご部材４３のみを右収納空間２９に装着した場合でも、第１及び第２支持面３７，３８に架設して使用する仮置き部材１３を、かご部材４３の第１及び第２支持部４５，４６に架設させて使用することができる。
【００４８】
本実施形態のキッチンシンク４によれば、右収納空間２９の壁面にダストボックス１５を吊り下げるための吊り下げピン（支持部）４１が形成され、内部空間２６を排水する排水口３０がダストボックス１５の直下に配置されている（図３及び図６参照）。
このため、シンク本体１１の内部空間２６を排水する排水口３０が吊り下げ状態に支持されるダストボックス１５の直下に位置するので、ダストボックス１５から排出される廃液を排水し易くなる。
【００４９】
〔まな板の好ましい仮置き位置〕
図９は、まな板１３Ａの好ましい仮置き位置を示すキッチンシンク４の斜視図である。
図２では、シンク本体１１の最も左側寄りにまな板１３Ａを配置する場合が例示されているが、図９の矢印Ｂ１に示すようにまな板１３Ａを右側にずらし、例えば、シンク本体１１の最も右側寄りの位置（図９の一点鎖線のハッチング参照）に、まな板１３Ａを配置することが好ましい。
【００５０】
この場合、前述の通り、まな板１３Ａの後端縁部が、シンク本体１１の第１支持面３７とかご部材４３の第１支持部４５によって支持される。
また、本実施形態のダストボックス１５では、第１支持部４５が、かご部材４３を構成する枠材のうちで最も上側の金属線材よりなるので（図６参照）、まな板１３Ａの後端縁部を第１支持部４５に載せると、まな板１３Ａの上面は、ダストボックス１５の上端を構成する第１支持部４５よりも上方となる。
【００５１】
このため、例えば図９の矢印Ｂ２に示すように、食材の切り屑などの生ゴミを、まな板１３Ａの上面でスライドさせながらダストボックス１５側（図９の例では後部側）にそのまま押し出すだけで、ダストボックス１５の内部に投入できる。
従って、まな板１３Ａからダストボックス１５へのゴミ廃棄が簡便になり、まな板１３Ａ上での包丁作業などの作業を迅速かつ容易に行えるという利点がある。
【００５２】
なお、上記の効果を奏するためには、まな板１３Ａの上面がダストボックス１５の上端以上の高さであればよい。従って、第１支持部４５は、必ずしも、ダストボックス１５の上端部分を構成する部材である必要はなく、まな板１３Ａの厚さ寸法以下の範囲で、ダストボックス１５の上端よりも若干低い位置においてまな板１３Ａの縁部を支持する部材であってもよい。
【００５３】
〔その他の変形例〕
今回開示した実施形態はすべての点で例示であって制限的なものではない。本発明の権利範囲は、上述の実施形態に限定されるものではなく、特許請求の範囲に記載された構成と均等の範囲内でのすべての変更が含まれる。
【００５４】
例えば、上述の実施形態では、ダストボックス１５がかご部材４３とボックス本体４４に分かれた分離タイプを例示したが、ダストボックス１５は、ボックス本体４４単体で構成されていてもよい。
【００５５】
上述の実施形態では、ダストボックス１５の収納空間として、後側壁部２３を後方に凹ませた右収納空間２９が採用されているが、ダストボックス１５の収納空間は、後側壁部２３の左収納空間２８などの後側壁部２３におけるその他の位置に配置されていてもよいし、左側壁部２４又は右側壁部２５を左右方向に凹ませた収納空間であってもよい。
【符号の説明】
【００５６】
１：システムキッチン    ２：キャビネット部    ３：天板    ４：キッチンシンク
５：加熱調理器    ６：抽斗    ７：開き戸    ８：開口    ９：開口
１１：シンク本体    １２：水栓    １３：仮置き部材
１３Ａ：まな板    １３Ｂ：水切りグレーチング    １３Ｃ：水切りプレート
１４：小物ガード    １５：ダストボックス    ２１：底部    ２２：前側壁部
２３：後側壁部    ２４：左側壁部    ２５：右側壁部    ２６：内部空間
２７：取付フランジ    ２８：左収納空間    ２９：右収納空間    ３０：排水口
３１：排水口蓋    ３２：載置面    ３３：貫通孔    ３４：貫通孔
３７：第１支持面    ３８：第２支持面    ３９：第３支持面
４０：吊り下げピン    ４１：吊り下げピン
４３：かご部材    ４４：ボックス本体
４５：第１支持部    ４６：第２支持部    ４７：第３支持部
４９：第１支持部    ５０：第２支持部
【図１】
0006266553.tif 000002
【図２】
0006266553.tif 000003
【図３】
0006266553.tif 000004
【図４】
0006266553.tif 000005
【図５】
0006266553.tif 000006
【図６】
0006266553.tif 000007
【図７】
0006266553.tif 000008
【図８】
0006266553.tif 000009
【図９】
0006266553.tif 000010